(57)【要約】【課題】排水部材を排水口から取り外すのが容易に且つ作業者の不快感をできるだけ柔らげた状態ででき、また、排水部材を手で掴んで取り外さなくても、汚れ状態を確実に確認できて、掃除が必要が必要でないかが簡単に判断できる。【解決手段】排水口１内に設置される排水部材２と、排水部材２を排水口１の上方へ上昇させるための上昇手段３を供えている。【選択図】図１
2009030331.tif 000002
【特許請求の範囲】
【請求項１】
排水口内に設置される排水部材と、排水部材を排水口の上方へ上昇させるための上昇手段を供えて成ることを特徴とするキッチンのシンクの排水口装置。
【請求項２】
排水口に設置される排水部材が網かごと、網かごの上位置に配置される通水可能な蓋であって、上昇手段により蓋が網かごから分離して上昇した後に、網かごが上昇するものであることを特徴とする請求項１記載のキッチンのシンクの排水口装置。
【発明の詳細な説明】
【技術分野】
【０００１】
本発明は、排水口内に排水部材を設置したキッチンのシンクの排水口装置に関するものである。
【背景技術】
【０００２】
従来から、キッチンのシンクの排水口には、ゴミ受け用の網かご、通水可能な蓋、目皿等の排水部材を設置し、網かごや目皿で生ゴミを捕集したり、あるいは、通水可能な蓋で排水口内が見えないようにしている。
【０００３】
そして、上記のように排水口内に設置する、ゴミ受け用の網かご、通水可能な蓋、目皿等の排水部材には生ゴミが付着し、更に、ぬめりが発生するので、時々、排水口から取り外して掃除し、合わせて排水口の周囲の掃除をする必要がある。
【０００４】
そして、上記のように、生ゴミ、ぬめりが付着して汚れている排水部材を取り外すには、排水口に設置されている状態（例えば、排水口の載置用段部にゴミ受け用の網かごの上端外周のフランジを嵌め込んで載置したり、あるいは、通水可能な蓋、目皿の外周を排水口の載置用段部に嵌め込んである）の排水部材を手で掴んで上方に引き上げて取り外すのであるが、排水口の載置用段部に嵌め込んだ排水部材を取り外す操作がし難いという問題があり、特に、排水部材が汚れ、ぬめりにより載置用段部に付着した状態となっているので、これらの汚れた部分に指先を添えて指先に力をいれながら排水部材を取り外す必要があり、よりいっそう取り外しがし難いと共に、このような作業は主婦に気持ち悪いという不快感を持たせるという問題がある。
【０００５】
また、排水部材の掃除が必要であるか否か、あるいは、排水口内部の掃除が必要であるか否か決めるには、排水部材の汚れ状態、あるいは、生ゴミの捕捉状態、あるいは排水口内部の汚れ状態を目で確認して行うのであるが、この場合、排水部材を排水口からいったん取り出して、排水部材の汚れ状態、あるいは、生ゴミの捕捉状態、あるいは排水口内部の汚れ状態を目で確認し、掃除が必要な場合は、掃除を行い、それほど汚れてなくて掃除が必要でない場合は、掃除をすることなく、排水部材を排水口に設置し直している。しかしながら、このように、それほど汚れていない場合でも、排水部材を排水口からいったん取り出して目で確認する必要があり、汚い排水部材をわざわざ排水口から取り出す作業が必要で、主婦にとってきわめて煩わしい作業となっている。
【０００６】
一方、排水口内にモータで回転するゴミ受けかごを設置し、モータを回転して脱水するようにしたものが、特許文献１により知られている。この従来例では、ゴミ受けかごを回転して脱水する際に、摩擦抵抗を軽減するために、僅かにゴミ受けかごを上昇させることで、ゴミ受けかごの上端のフランジを排水口内の上部のテーパ部分の下端よりやや上昇させ、この状態で回転して脱水するようなっている。しかしながら、この従来例にあっては、回転脱水するために僅かに上昇させているだけのものであり、上昇させた状態でもゴミ受けかごの上端は依然として排水口内に位置しており、したがって、ゴミ受けかごを排水口から取り外す際の前述の問題点が依然として残っている。
【特許文献１】特開２０００−３５０９４７号公報
【発明の開示】
【発明が解決しようとする課題】
【０００７】
本発明は上記の従来の問題点に鑑みて発明したものであって、排水部材を排水口から取り外すのが容易に且つ作業者の不快感をできるだけ柔らげた状態ででき、また、排水部材を手で掴んで取り外さなくても、汚れ状態を確実に確認できて、掃除が必要か必要でないかが簡単に判断できるキッチンのシンクの排水口装置を提供することを課題とするものである。
【課題を解決するための手段】
【０００８】
上記課題を解決するために本発明に係るキッチンのシンクの排水口装置は、排水口１内に設置される排水部材２と、排水部材２を排水口１の上方へ上昇させるための上昇手段３を供えて成ることを特徴とするものである。
【０００９】
このように構成することにより、上昇手段３により排水口１内に設置された排水部材２を排水口１の上方へ上昇させることで、排水部材２の汚れ状態、生ゴミの捕捉状態を目で確実に確認でき、また、排水口１内部の汚れ状態も目で確認でき、これにより、排水部材２の掃除が必要であるか否か、あるいは排水口１内部の掃除が必要であるか否かが簡単に確認できる。そして、掃除が必要な場合は、排水口１の上方に上昇させた排水部材２を掴んで簡単に取り外して掃除することができる。
【００１０】
また、排水口１に設置される排水部材２が網かご４と、網かご４の上位置に配置される通水可能な蓋５であって、上昇手段により蓋５が網かご４から分離して上昇した後に、網かご４が上昇するものであることが好ましい。
【００１１】
このような構成とすることで、網かご４の上開口を通水可能な蓋５で覆った状態では、網かご４に捕捉した生ゴミが見えず、外観がよく、一方、蓋５の汚れ状態、特に蓋５の外周側面の汚れ状態を目で確認したい場合や、網かご４内の汚れ状態、生ゴミの捕捉状態を目で確認したい場合は、上昇手段３により蓋５を網かご４から分離して上昇させるので、蓋５を手で掴んで外さなくても、蓋５の外周側面の汚れ状態の確認ができると共に、上昇した蓋５と網かご４との間の隙間から網かご４の網かご４内の汚れ状態、生ゴミの捕捉状態を目で確認でき、蓋５の掃除が必要な場合は上昇した蓋５を掴んで簡単に取り外すことができるものであり、更に、上昇手段により蓋５が網かご４から分離して上昇した後に、網かご４が上昇するものであるから、網かご４のより詳しい汚れ状態、捕捉物の捕捉状態が目で確認できると共に、排水口１内の汚れ状態の確認ができて、掃除が必要な場合は、排水口１の上方へ上昇させた排水部材２を掴んで持ち上げることで簡単に取り外して掃除することができる。
【発明の効果】
【００１２】
本発明の請求項１記載の発明にあっては、排水口内に設置される排水部材と、排水部材を排水口の上方へ上昇させるための上昇手段を供えているので、排水部材を取り外す作業としては、上方に上昇した状態の排水部材を手で摘んで取り外すことができて、排水口から取り外すのが容易に且つ作業者の不快感をできるだけ柔らげた状態でできる。また、掃除が必要か否かの確認に当たっては、排水部材を手で掴んで取り外さなくても、汚れ状態を確実に確認できて、従来のように、いちいち汚い排水部材を手で掴んで外して掃除が必要か否かの確認のための作業を必要としない。
【００１３】
また、請求項２記載の発明にあっては、排水口に設置される排水部材が網かごと、網かごの上位置に配置される通水可能な蓋であって、上昇手段により蓋が網かごから分離して上昇した後に、網かごが上昇するものであるから、蓋の外周側面の汚れ具合を目で確認したり、排水部材の汚れ具合や捕捉物の捕捉状態を目で確認するのが容易に行え、また、蓋、排水部材の取り外しが容易にできる。
【発明を実施するための最良の形態】
【００１４】
以下、本発明を添付図面に示す実施形態に基いて説明する。
【００１５】
キッチンのシンク６の底部に排水口１が設けてあり、この排水口１は上端がキッチンのシンク６の底部に開口した有底筒状をしており、排水口１の下部には排水管路７が連通接続してある。
【００１６】
有底筒状をした排水口１内には上端開口から排水部材２が着脱自在に嵌め込んである。添付図面に示す実施形態では、排水部材２が、網かご４と、該網かご４の上位置に配置される通水可能な蓋５とで構成してある
網かご４は上端が開口していて上端外周にフランジ８が設けてあり、網かご４が排水口１の内周の最上端よりも少し下位置に設けた載置用段部９に着脱自在に載置されるようになっており、更に、網かご４のフランジ８上に着脱自在に載置される蓋５は、網かご４のフランジ８を排水口１の載置用段部９に載置した際に、排水口１の最上端に蓋５の上面が位置するようになっている。
【００１７】
該蓋５は通水部を有していて通水可能となっており、排水口１内に設置した網かご４のフランジ８上に蓋５を載置した状態で、キッチンのシンク６から流れる水及び生ゴミが蓋５の通水部を通って網かご４内に流入し、網かご４で生ゴミが捕捉され、水だけが網かご４を通過して排水口１内に流れて排水管路７から外部に排水されるようになっている。
【００１８】
上記のように排水口１内に着脱自在に設置される排水部材２は上昇手段３により排水口１の上方へ上昇させることができるようになっている。
【００１９】
図１、図２には上昇手段３の一例が示してある。この実施形態では、上昇手段３は、棒状昇降部材１０と、棒状昇降部材１０を上下方向に昇降させるためのワイヤ１１と、ワイヤ１１を巻取り、巻き戻すためのモータ１２により回転するドラム１３とで構成してある。棒状昇降部材１０は上下方向に移動自在となるように排水口１の壁部に取付けてあり（図に示す実施形態では排水口１の壁部に設けたガイド部２０に棒状昇降部材１０を挿通してあって、該ガイド部２０により棒状昇降部材１０の上下方向のガイドをしている）、その上端部が載置用段部９に設けた孔１５から上方に突出自在となっており、該棒状昇降部材１０が下降した状態で、網かご４の上端外周のフランジ８を載置用段部９に載置して網かご４を排水口１内に設置するのであるが、この場合、棒状昇降部材１０の上端がフランジ８の下面に接するか又は若干下方に位置するように設定してある。
【００２０】
ワイヤ１１は一端が排水口１の壁部に固定され且つ他端がドラム１３に固定してあり、このワイヤ１１の途中（図ではワイヤ１１のプーリ１４とワイヤ１１の一端の固定部との間の弛んだ部分）で上記棒状昇降部材１０の下端を支持している。したがって、モータ１２を一方向に回転することで、ドラム１３にワイヤ１１を巻いてワイヤ１１により棒状昇降部材１０の下端を押し上げることで、棒状昇降部材１０を上昇させて棒状昇降部材１０の上端で網かご４のフランジ８を押し上げて図２に示すように網かご４を排水口１の上方に上昇させる。
【００２１】
図１、図２の実施形態では網かご４の上に蓋５を配置しているので、網かご４を排水口１の上方に上昇させた際に同時に蓋５も上昇する。したがって、排水口１の載置用段部９から網かご４のフランジ８及び蓋５を取り外すに当たって、手で摘んで取り外す必要がないので、簡単且つ不快感なく上方に移動させることができ、このように排水口１の上方に上昇させた状態で、蓋５、網かご４を指で摘んで取り外すことができる。
【００２２】
また、排水口１の上方に上昇させた状態で蓋５の汚れ状態、特に外周側面の汚れ状態、網かご４の汚れ状態を目で確認でき（蓋５を取り外していない場合は網かご４の外面の汚れ状態を目で確認でき、また、上昇させた状態で蓋５を取り外すと網かご４の内部の汚れ状態や生ゴミの捕捉状態が確認でき）、更に、上昇した網かご４と排水口１の上端開口との間から排水口１の内部の汚れ状態も目で確認できる。したがって、掃除が必要なほど汚れていない場合や生ゴミがあまり捕捉されていない場合は、網かご４を手で取り外すことなく、モータ１２を逆回転させてドラム１３からワイヤ１１を巻き戻すことで網かご４（又は網かご４に蓋５を乗せたまま）を下降させて排水口１の載置用段部９に嵌め込む。
【００２３】
図３乃至図５には本発明の他の実施形態が示してある。この実施形態も基本的な構成は前述の実施形態と同様であるが、蓋５を網かご４から分離して先に上昇させ、その後、蓋５と網かご４とを同時に上昇させるようにしていることが異なる。
【００２４】
すなわち、この実施形態では棒状昇降部材１０が、外筒１０ａと外筒１０ａ内に上下移動自在に挿通された内側支持棒１０ｂとで構成してある。内側支持棒１０ｂは外筒１０ａよりも上下長さが長くなっている。内側支持棒１０ｂが挿通された外筒１０ａは排水口１の壁部に上下移動自在に取付けてあり、その上端部が載置用段部９に設けた孔１５から上方に突出自在となっており、外筒１０の上端が孔１５と同じレベルに位置している状態で図示を省略したストッパ手段によりそれ以上下方に下がらないようになっており、内側支持棒１０ｂの下端がワイヤ１１の途中（図ではワイヤ１１のプーリ１４とワイヤ１１の一端の固定部との間の弛んだ部分）に支持してある。そして、内側支持棒１０ｂはワイヤ１１を巻き戻した状態が最大に下降した状態であり、この状態で、図の実施形態では、内側支持棒１０ｂの上端は外筒１０ａの上端よりフランジ８の厚み分だけ上方に突出するように設定してある。
【００２５】
また、本実施形態では網かご４の上端外周のフランジ８には挿通孔１６が設けてある。
【００２６】
排水口１の載置用段部９に網かご４の外周のフランジ８を嵌め込むと、外筒１０ａの上端がフランジ８の下面に当接するようになっており、更に、蓋５を載置用段部９に嵌め込んで蓋５をフランジ８上に載置すると、内側支持棒１０ｂの上端部がフランジ８に設けた挿通孔１６に挿通されてその上端が蓋５の下面に当接するようになっている。
【００２７】
この実施形態では、モータ１２を一方向に回転してワイヤ１１を巻き取ると、まず、内側支持棒１０ｂの下端がワイヤ１１により押し上げられることで、内側支持棒１０ｂを上昇させて内側支持棒１０ｂの上端で蓋５を押し上げて蓋５を網かご４から分離して排水口１の上方に上昇させ、図４の状態となる。
【００２８】
引き続いてモータ１２を一方向に回転してワイヤ１１を巻き取りを継続して、内側支持棒１０ｂの下端が外筒１０ａの下端と同じレベルまで来ると、ワイヤ１１により内側支持棒１０ｂの下端及び外筒１０ａの下端が両方とも押し上げられ、蓋５が網かご４から上方に一定高さ持ち上げられた状態のまま、網かご４と蓋５が排水口１の上方に上昇して図５の状態となる。
【００２９】
したがって、この実施形態でも蓋５、網かご４を排水口１の載置用段部９から上方に取り外すに当たって、手で摘んで取り外す必要がないので、簡単且つ不快感なく上方に移動させることができ、このように排水口１の上方に上昇させた状態で、蓋５、網かご４を指で摘んで取り外すことができる。
【００３０】
また、本実施形態では、蓋５を網かご４から分離して先に排水口１の上方に上昇させるので、網かご４の汚れとは関係なく、蓋５の外周側面の汚れを目で確認することができ、蓋５のみの掃除の必要の有無だけであっても蓋５を載置用段部９から手で摘んで外すことなくできる。
【００３１】
また、蓋５を上昇させた後、蓋５を網かご４から上方に一定高さ持ち上げた状態のまま、網かご４と蓋５を排水口１の上方に上昇させるので、網かご４と蓋５を上昇させた状態では、蓋５を手で外さなくても、網かご４と蓋５との間から網かご４内の汚れ状態、生ゴミの捕捉状態を目で確認することができる。
【００３２】
目で確認して掃除が必要であると判断すれば、蓋５や網かご４を掴んで取り外して掃除を行い、一方、掃除が必要でないと判断すれば、モータ１２を逆回転して図３の状態に戻す。
【００３３】
なお、上記実施形態では排水部材２として網かご４と蓋５の例を示したが、網かご４のみであってもよく、また、排水部材２としては目皿であってもよい。
【００３４】
また、有底筒状をした排水口１の底部から排水路に連通したトラップ用筒部を突設し、排水口内に該トラップ用筒部に、下端のみが開口したトラップ用キャップを被せて排水トラップ構造を形成したような場合には、トラップ用キャップを排水部材２として上昇手段３により排水口１の上方に排水部材２を上昇させるようにしてもよい。
【００３５】
また、上記実施形態ではモータ１２を用いているが、手動でワイヤ１１を移動させるようにしてもよい。また、上昇手段３としては添付図面に示すものにのみ限定されるものではなく、排水部材２を上昇させることが出来る機構であれば他の機構であってもよい。例えば、ポップアップ方式で排水部材２を昇降させるようにしてもよく、あるいは、ペダルの操作によりリンク機構等を介して排水部材２を昇降させるようにしてもよい。
【図面の簡単な説明】
【００３６】
【図１】本発明の一実施形態の断面図である。
【図２】同上の網かごと蓋とを上昇させた状態の断面図である。
【図３】本発明の他の実施形態の断面図である。
【図４】同上の網かごに対して蓋を上昇させた状態の断面図である。
【図５】同上の網かごに対して蓋を上昇させた状態で編みかごを上昇させた状態の断面図である。
【符号の説明】
【００３７】
１  排水口
２  排水部材
３  上昇手段
４  網かご
５  蓋
【図１】
2009030331.tif 000003
【図２】
2009030331.tif 000004
【図３】
2009030331.tif 000005
【図４】
2009030331.tif 000006
【図５】
2009030331.tif 000007